(57)【要約】【課題】２本指でのフリック操作の認識率を向上することが可能なタッチ操作型入力装置を提供すること。【解決手段】一定時間α以上２点タッチ状態が継続されたとき、２点タッチ状態で維持される又は１点タッチ状態が得られることを条件に、２本の指によるフリック操作であるか否かの判定が継続される。これにより、２本の指によるフリック操作を行う過程で、当初２本の指がタッチパッドに触れ、途中から片方の指がタッチパッドから離れた場合でも、残りの１本の指がタッチパッドに触れていれば、２本の指によるフリック操作であるか否かの判定が継続される。したがって、２本指でのフリック操作の認識率を向上することができる。【選択図】図５
2014130384.tif 000002
【特許請求の範囲】
【請求項１】
タッチ操作による入力の行われるタッチ操作型入力装置において、
前記タッチ操作について、タッチ面上を２本の指で払うフリック操作が規定され、
前記タッチ面上のタッチ操作が２本の指によるフリック操作であるか否かを判定する判定手段を備え、
前記判定手段は、一定時間以上２点タッチ状態が継続されたとき、２点タッチ状態で維持される又は１点タッチ状態が得られることを条件に、２本の指によるフリック操作であるか否かの判定を継続する
ことを特徴とするタッチ操作型入力装置。
【請求項２】
前記判定手段は、一定時間以上２点タッチ状態が継続されたことを契機に、２点タッチＯＮ継続フラグをセットし、このフラグがセットされているとき、２点タッチ状態又は１点タッチ状態にあるか否かを判断し、肯定判断したことを条件に、２本の指によるフリック操作であるか否かの判定を継続する
請求項１に記載のタッチ操作型入力装置。
【請求項３】
前記判定手段は、２本の指によるフリック操作であるか否かの判定を通じて、２点タッチの開始された座標を基準に、一定距離以上の移動量が得られたとき、２本の指によるフリック操作であると判定する
請求項１又は２に記載のタッチ操作型入力装置。
【発明の詳細な説明】
【技術分野】
【０００１】
本発明は、タッチ操作による入力の行われるタッチ操作型入力装置に関する。
【背景技術】
【０００２】
特許文献１には、タッチ操作やボタン操作の行われる操作部と、操作部への操作を電気的に処理する制御部と、制御部による制御のもと操作部への操作の反映された画面を表示する表示部とによって構成された車両用のディスプレイシステムについて開示されている。
【０００３】
操作部はドライバにとって操作し易い場所として規定される例えばセンターコンソールに配置されるとともに、表示部はドライバや同乗者にとって視認し易い場所として規定される例えばセンタークラスタパネルに配置される。表示部の画面上には複数の選択項目（リスト）が表示されるとともに、画面上の選択位置がカーソルによって示唆される構成では、ドライバが操作部のタッチパッド上をタッチ操作しつつ画面上のカーソルを所望のリストの表示領域へ移動させることで、当該リストが選択される。尚、タッチパッド上を２本の指で払うフリック操作により画面送りが行われ、これにより、送られた先の画面に属するリストを選択できるようになる。その後、この選択を決定する操作を行うことで、上記リストに関連付けされた動作、例えば当該リストに関わる別の階層の画面表示や車両設備の操作が実行される。
【先行技術文献】
【特許文献】
【０００４】
【特許文献１】特開２００１−３２５０７２号公報
【発明の概要】
【発明が解決しようとする課題】
【０００５】
タッチパッド上のタッチ操作が２本の指によるフリック操作であるか否かの判定について、２点タッチの開始された座標を基準に、一定距離以上２点タッチ状態での移動が検出されたとき、フリック操作と判定するロジックを採用することが考えられる。しかし、２本の指でフリック操作をしているつもりでも、その途中で片方の指がタッチパッドから離れ、残りの１本の指でフリック操作をしている場合がある。この場合、上記ロジックでは、２点タッチ状態での移動量が一定距離に満たないとき、２本指でのフリック操作とは判定されず、ユーザの癖などに起因して認識率の低下が懸念される。
【０００６】
本発明は、このような問題点に着目してなされたものであって、その目的は、２本指でのフリック操作の認識率を向上することが可能なタッチ操作型入力装置を提供することにある。
【課題を解決するための手段】
【０００７】
上記課題を解決するタッチ操作型入力装置は、タッチ操作による入力の行われるタッチ操作型入力装置において、前記タッチ操作について、タッチ面上を２本の指で払うフリック操作が規定され、前記タッチ面上のタッチ操作が２本の指によるフリック操作であるか否かを判定する判定手段を備え、前記判定手段は、一定時間以上２点タッチ状態が継続されたとき、２点タッチ状態で維持される又は１点タッチ状態が得られることを条件に、２本の指によるフリック操作であるか否かの判定を継続することをその要旨としている。
【０００８】
この構成によれば、２本の指によるフリック操作を行う過程で、当初２本の指がタッチ面に触れ、途中から片方の指がタッチ面から離れた場合でも、残りの１本の指がタッチ面に触れていれば、２本の指によるフリック操作であるか否かの判定が継続される。したがって、２本指でのフリック操作の認識率を向上することができる。
【０００９】
上記タッチ操作型入力装置について、前記判定手段は、一定時間以上２点タッチ状態が継続されたことを契機に、２点タッチＯＮ継続フラグをセットし、このフラグがセットされているとき、２点タッチ状態又は１点タッチ状態にあるか否かを判断し、肯定判断したことを条件に、２本の指によるフリック操作であるか否かの判定を継続することとしてもよい。
【００１０】
この構成によれば、２本指でのフリック操作を判定するにあたり、その前提となる２本指によるタッチ操作の継続の有無がフラグによって示唆されるため、当該判定を円滑に行うことができる。
【００１１】
上記タッチ操作型入力装置について、前記判定手段は、２本の指によるフリック操作であるか否かの判定を通じて、２点タッチの開始された座標を基準に、一定距離以上の移動量が得られたとき、２本の指によるフリック操作であると判定することとしてもよい。
【００１２】
この構成によれば、２点タッチのままでの移動量又は２点タッチから１点タッチになったときの当初からの移動量が一定距離以上であれば、２本の指によるフリック操作であると判定される。したがって、後者の場合でも２本指でのフリック操作と判定されることに伴い、２本指でのフリック操作の認識率を向上することができる。
【発明の効果】
【００１３】
本発明によれば、２本指でのフリック操作の認識率を向上することができる。
【図面の簡単な説明】
【００１４】
【図１】タッチ操作型入力装置の構成要素を示すブロック図。
【図２】複数のリストが表示部の画面上に表示された様子を示す平面図。
【図３】２本の指によるフリック操作が行われるときの特性を示すグラフ。
【図４】比較例による処理を示すフローチャート。
【図５】実施例による処理を示すフローチャート。
【発明を実施するための形態】
【００１５】
以下、タッチ操作型入力装置の一実施の形態について説明する。
図１に示すように、タッチ操作型入力装置１は、操作性を考慮してセンターコンソールに配置される操作部２と、操作部２に対する操作を電気的に処理する制御部３と、視認性を考慮してセンタークラスタパネルに配置されるとともに、制御部３による制御のもと操作部２に対する操作の反映された画面を表示する表示部４とを備えている。このタッチ操作型入力装置１は、エアコン、カーナビ、オーディオ等の車両設備の操作に必要な情報の入力を主にタッチ操作を通じて行うものである。
【００１６】
操作部２は操作面であるタッチパッドを有し、このタッチパッド上でのタッチ操作による入力を示すデータを所定の通信周期時間毎に制御部３に送信する。このデータには操作位置や操作量が含まれる。操作部２に対する操作には、タッチパッド上を指で触れるタッチ操作と、このタッチ操作による入力を通じて画面上で選択した項目を決定するためにタッチパッドの全体を軽く押し込むプッシュ操作とが含まれる。この操作に伴い操作部２からはプッシュ信号が送信される。制御部３はＥＣＵ（Electronic Control Unit ）によって構成され、操作部２に対する操作を反映した表示制御を行うとともに、プッシュ操作を伴って決定された項目を示す入力信号を車両設備に送信する。この入力信号は車両設備での制御に反映される。表示部４は例えば液晶による画面を有し、この画面上には複数の選択項目（リスト）が表示されるとともに、画面上の選択位置がカーソルによって示唆される。
【００１７】
図２に示すように、表示部４の画面上には、複数のリスト４１〜４６が表示されるとともに、右列中段のリスト４５の表示領域には、画面上の選択位置を示唆するポインタカーソル４７が表示されている。このとき、リスト４５の外縁が太枠による選択ボタンカーソル４８によって強調され、これにより、リスト４５の選択状態が示唆される。この状態で操作部２のタッチパッドが軽く押し込まれると、リスト４５の選択が決定され、これに関連付けされた動作、例えば当該リスト４５に関わる別の階層の画面表示や車両設備の操作が実行される。
【００１８】
リスト４５の選択状態から右列下段のリスト４６を選択する場合には、操作部２のタッチパッド上を指で軽く手前側になぞるタッチ操作を行う。同様に、右列上段のリスト４４を選択する場合には指を奥側になぞり、また、左列中段のリスト４２を選択する場合には指を左側になぞり、左列上段のリスト４１を選択する場合には指を斜め左奥側になぞる。こうしたタッチ操作は、ポインタカーソル４７をリスト一個分ずつ送る「ポインタ移動」として規定される。このポインタ移動を通じて、画面上のポインタカーソル４７を所望のリストの表示領域へ移動させることで、当該リストが選択される。このリストの選択を決定する場合にはタッチパッドを軽く押し込む。
【００１９】
これに対し、リスト４５の選択状態から左隣のリスト４２よりもさらに左側に属するリストを選択する場合には、タッチパッド上を２本の指で左方向に払う「フリック操作」を行う。このようにポインタカーソル４７をリスト複数個分に亘って一度に送るタッチ操作が「フリック操作」として規定される。このフリック操作を通じて画面送りを行った後、その送った先の画面に属するリストをポインタ移動にて選択し、さらにタッチパッドを押下することにより当該リストの選択を決定できる。
【００２０】
図３に示すように、２本の指を左方向に払うフリック操作が行われるとき、当初２本の指がタッチパッドに触れるも、途中から片方の指がタッチパッドから離れ、残りの１本の指がタッチパッドに触れる。尚、タッチパッド上の左右方向にＸ座標が設定され、手前から奥に向かう方向にＹ座標が設定される。したがって、左方向にフリック操作が行われるとき、右位置から左位置に向かってＸ座標の小さくなる本例では、Ｘ座標の値が減少傾向を示しつつ、Ｙ座標の値が略一定となる。制御部３は、操作部２からのデータを基に、タッチパッド上のタッチ操作について解析する。例えば、タッチパッド上のタッチ操作が２本の指によるフリック操作であるか否かを判定する。
【００２１】
次に、タッチ操作型入力装置１の作用について説明する。
図４に示すように、本実施例に対する比較例では、ステップＳ１０１において、１本の指がタッチパッドに触れたことを示す１点タッチが検出された後、続くステップＳ１０２において、２本の指がタッチパッドに触れたことを示す２点タッチが検出されると、ステップＳ１０３において、２点タッチの開始された座標が基準座標として各指についてセットされる。そして、ステップＳ１０４において、２点タッチが継続されていると判断されると、ステップＳ１０５において、基準座標からの２点タッチでの移動距離が一定距離Ｘ以上であるか否かが判断され、肯定判断されたことを条件に、２本の指によるフリック操作であると判定される。尚、ステップＳ１０２において、２点タッチが検出されない、又は、ステップＳ１０４において、２点タッチの状態でなくなったと判断されると、ステップＳ１０６では１点タッチか否かが判断され、また、ステップＳ１０７では３点タッチか否かが判断され、各タッチの状態に応じて処理が行われる。
【００２２】
この比較例では、２点タッチの開始された座標を基準に、一定距離Ｘ以上２点タッチ状態での移動が検出された場合に限り、２本の指によるフリック操作であると判定される。したがって、２本の指によるフリック操作を行う過程で、当初２本の指がタッチパッドに触れるも、その途中に２点タッチでの移動距離が一定距離Ｘに満たない段階で片方の指がタッチパッドから離れた場合には、２本の指によるフリック操作とは判定されないことになる。
【００２３】
図５に示すように、本実施例の制御部３は、ステップＳ１において、１本の指がタッチパッドに触れたことを示す１点タッチを検出した後、続くステップＳ２において、２本の指がタッチパッドに触れたことを示す２点タッチを検出すると、ステップＳ３での肯定判断を経て、ステップＳ４において、２点タッチの開始された座標を基準座標として各指についてセットする。そして、制御部３は、ステップＳ５において、２点タッチの継続時間が一定時間αに達すると、ステップＳ６において、２点タッチＯＮ継続フラグをセットする。このフラグにより、２本指でのフリック操作を判定するにあたり、その前提となる２本指によるタッチ操作の継続の有無が示唆される。そして、制御部３は、ステップＳ７において、１点タッチ状態又は２点タッチ状態であると判断すると、ステップＳ８において、２点タッチのままでの移動距離又は２点タッチから１点タッチになったときの当初からの移動距離が一定距離Ｘ以上であるか否かを判断し、肯定判断したことを条件に、２本の指によるフリック操作であると判定する。尚、ステップＳ２において、２点タッチが検出されない、又は、ステップＳ５において、２点タッチの状態でなくなったと判断されると、ステップＳ９では１点タッチか否かが判断され、また、ステップＳ１０では３点タッチか否かが判断され、各タッチの状態に応じて処理が行われる。
【００２４】
この実施例では、一定時間α以上２点タッチ状態が継続されたとき、２点タッチの開始された座標を基準に、一定距離Ｘ以上１点タッチ状態又は２点タッチ状態での移動が検出されれば、２本の指によるフリック操作であると判定される。したがって、２本の指によるフリック操作を行う過程で、当初２本の指がタッチパッドに触れ、途中から片方の指がタッチパッドから離れた場合でも、残りの１本の指がタッチパッドに触れつつ当初からの移動距離が一定距離Ｘ以上となれば、２本の指によるフリック操作と判定されることになる。
【００２５】
以上説明したように、本実施の形態によれば、以下の効果を奏することができる。
（１）一定時間α以上２点タッチ状態が継続されたとき、２点タッチ状態で維持される又は１点タッチ状態が得られることを条件に、２本の指によるフリック操作であるか否かの判定が継続される。これにより、２本の指によるフリック操作を行う過程で、当初２本の指がタッチパッドに触れ、途中から片方の指がタッチパッドから離れた場合でも、残りの１本の指がタッチパッドに触れていれば、２本の指によるフリック操作であるか否かの判定が継続される。したがって、２本指でのフリック操作の認識率を向上することができる。
【００２６】
（２）一定時間α以上２点タッチ状態が継続されたことを契機に、２点タッチＯＮ継続フラグがセットされ、このフラグがセットされているとき、２点タッチ状態又は１点タッチ状態にあるか否かが判断され、肯定判断されたことを条件に、２本の指によるフリック操作であるか否かの判定が継続される。これにより、２本指でのフリック操作を判定するにあたり、その前提となる２本指によるタッチ操作の継続の有無がフラグによって示唆されるため、当該判定を円滑に行うことができる。
【００２７】
（３）２本の指によるフリック操作であるか否かの判定を通じて、２点タッチの開始された座標を基準に、一定距離Ｘ以上の移動距離が得られたとき、２本の指によるフリック操作であると判定される。これにより、２点タッチのままでの移動距離又は２点タッチから１点タッチになったときの当初からの移動距離が一定距離Ｘ以上であれば、２本の指によるフリック操作であると判定される。したがって、後者の場合でも２本指でのフリック操作と判定されることに伴い、２本指でのフリック操作の認識率を向上することができる。
【００２８】
（４）２本指でのフリック操作を判定する際、後半の１本指操作している間も判定が継続される。これにより、判定に必要な距離である一定距離Ｘを超え易くなる結果、２本指でのフリック操作の認識率を向上することができる。
【００２９】
（５）当初から１本指でのフリック操作が行われた場合には、２点タッチの継続時間として必要な一定時間αを満たさないため、この操作を２本指でのフリック操作として誤って認識することがない。すなわち、一定時間αの設定により、２本指でのフリック操作を高い精度で認識することができる。
【００３０】
尚、上記実施の形態は、次のように変更して具体化することも可能である。
・パソコン用のタッチパッド上でのタッチ操作について、２本指によるフリック操作を判定するタッチ操作型入力装置に適用してもよい。
【００３１】
・タッチパッドは静電式、感圧式など方式を問わない。
・ポインタカーソルの表示を伴わない構成でもよい。
・太枠による選択ボタンカーソルに代えて又は加えて、色の違いによって選択状態のリストを強調する構成でもよい。
【００３２】
・選択の決定方法はプッシュ操作に限らない。
・上記実施の形態は、操作部と表示部が分かれた構成となっているが、表示面上に操作面を配置した構成でもよい。
【符号の説明】
【００３３】
１…タッチ操作型入力装置、２…操作部、３…制御部（判定手段）、４…表示部、４１〜４６…リスト、４７…ポインタカーソル、４８…選択ボタンカーソル。
【図１】
2014130384.tif 000003
【図２】
2014130384.tif 000004
【図３】
2014130384.tif 000005
【図４】
2014130384.tif 000006
【図５】
2014130384.tif 000007